(57)【要約】【課題】公営競技の既存ネットワークが別々のシステムを構成しており相互にネットワーク接続されていなかった。そのため、投票データ等がバラバラに管理されており相互に利用できず、利用者だけでなく施行者側にとっても不便であった。【解決手段】異業種公営競技相互端末利用場外センタに設けたホスト２と、異業種公営競技既存ネットワークにそれぞれ通信回線を介して接続した複数のマルチ投票端末１を有し、異業種公営競技相互端末利用を可能にした異業種公営競技相互端末利用システムであって、マルチ投票端末１には投票カードデータ処理手段と、発券要求処理手段と、投票券発行手段とを少なくとも備え、ホスト２は発券要求の業種を確認し業種別に処理を分岐する処理分岐手段と、発券要求内容をチェックして各業種別の処理部へ指示し各種集計表を更新する発券処理手段と、発券応答手段とを少なくとも備えている。【選択図】  図１
2006099520.tif 000002
【特許請求の範囲】
【請求項１】
異業種公営競技の相互端末利用を図る為の異業種公営競技相互端末利用場外センタに設けたホストと、前記異業種公営競技の既存ネットワークにそれぞれ通信回線を介して接続した複数のマルチ投票端末を有し、
前記異業種公営競技の既存ネットワーク及びマルチ投票端末とホスト間をそれぞれ通信回線で接続し、相互に通信を行うことで異業種公営競技相互端末利用を可能にした異業種公営競技相互端末利用システムのマルチ投票端末であって、
異業種公営競技の投票カードを含む各種投票カードを読み込んで内容を判断し、記入データのエラーチェックを行う投票カードデータ処理手段と、
前記判断した投票カードの内容から異業種公営競技用の投票カードと判定し、かつ、前記エラーチェックが正しく終了したら、その投票カードの発券要求を前記ホストへ送信する発券要求処理手段と、
前記発券要求に対し、前記ホストから発券可の返答があった場合、該当する業種の投票券を発行する投票券発行手段と、
を少なくとも備えていることを特徴とする異業種公営競技相互端末利用システムのマルチ投票端末。
【請求項２】
前記投票カードデータ処理手段により、挿入された投票カードから読み込んだデータが異業種のオッズ要求のみであったと判断した場合、そのオッズ要求を前記ホストへ送信するオッズ要求処理手段と、
前記オッズ要求に対し、前記ホストから返信を受信した場合、受信したオッズデータを表示装置の画面に表示するオッズデータ表示手段と、
を少なくとも備えていることを特徴とする請求項１記載の異業種公営競技相互端末利用システムのマルチ投票端末。
【請求項３】
異業種公営競技の相互端末利用を図る為の異業種公営競技相互端末利用場外センタに設けたホストと、前記異業種公営競技の既存ネットワークにそれぞれ通信回線を介して接続した複数のマルチ投票端末を有し、
前記異業種公営競技の既存ネットワーク及びマルチ投票端末とホスト間を通信回線で接続し、相互に通信を行うことで異業種公営競技相互端末利用を可能にした異業種公営競技相互端末利用システムのホストであって、
前記各マルチ投票端末と通信することで前記マルチ投票端末からの発券要求を受信した場合、その発券要求の業種を確認し、業種別に処理を分岐する処理分岐手段と、
発券要求内容をチェックして各業種別の処理部へ指示し、各種集計表を更新する発券処理手段と、
各業種別の処理部からの情報により発券可又は不可となった場合、該当するマルチ投票端末へ発券可又は不可応答を行う発券応答手段と、
を少なくとも備えていることを特徴とする異業種公営競技相互端末利用システムのホスト。  
【請求項４】
各業種のシステムと常時通信を行い、競技に関するデータを更新して蓄積する競技情報更新処理手段と、
前記マルチ投票端末からオッズ要求を受信した場合、発券要求元の登録を確認し、オッズ要求の業種を確認するオッズ情報処理手段と、
要求されたオッズデータを取得して該当するマルチ投票端末へ返信するオッズデータ返信処理手段とを少なくとも備えると共に、
インターネットに接続したＷｅｂサーバを通信回線を介して接続していることを特徴とする請求項３記載の異業種公営競技相互端末利用システムのホスト。
【請求項５】
異業種公営競技の相互端末利用を図る為の異業種公営競技相互端末利用場外センタに設けたホストと、前記異業種公営競技の既存ネットワークにそれぞれ通信回線を介して接続した複数のマルチ投票端末を有し、前記異業種公営競技の既存ネットワーク及びマルチ投票端末とホスト間をそれぞれ通信回線で接続し、相互に通信を行うことで異業種公営競技相互端末利用を可能にした異業種公営競技相互端末利用システムの投票データ処理方法であって、
前記マルチ投票端末において、異業種公営競技の投票カードを含む各種投票カードを読み込んで内容を判断し、記入データのエラーチェックを行う投票カードデータ処理手順と、前記判断した投票カードの内容から異業種公営競技用の投票カードと判定し、かつ、前記エラーチェックが正しく終了したら、その投票カードの発券要求を前記ホストへ送信する発券要求処理手順とを有し、
前記ホストにおいて、前記各マルチ投票端末と通信することで前記マルチ投票端末からの発券要求を受信した場合、その発券要求の業種を確認し、業種別に処理を分岐する処理分岐手順と、発券要求内容をチェックして各業種別の処理部へ指示し、各種集計表を更新する発券処理手順と、各業種別の処理部からの情報により発券可又は不可となった場合、該当するマルチ投票端末へ発券可又は不可応答を行う発券応答手順とを有し、
その後、前記マルチ投票端末において、前記発券要求に対し、前記ホストから発券可の返答があった場合、該当する業種の投票券を発行する投票券発行手順と、
を少なくとも備えていることを特徴とする異業種公営競技相互端末利用システムの投票データ処理方法。
【発明の詳細な説明】
【技術分野】
【０００１】
本発明は、競馬、競輪、オートレース、競艇を含む異業種公営競技に使用する異業種公営競技相互端末利用システムのマルチ投票端末、ホスト及び投票データ処理方法に関する。
【背景技術】
【０００２】
(1) ：従来例１
図１８は既存システムの説明図、図１９は地方競馬既存ネットワークの説明図、図２０は競艇既存ネットワークの説明図、図２１は競輪既存ネットワークの説明図、図２２はオートレース既存ネットワークの説明図である。以下、図１８乃至図２２を参照しながら、従来例１を説明する。
【０００３】
(a) ：既存システムの説明
このシステムは、競馬、競輪、オートレース、競艇等の公営競技のトータリゼータシステムの例である。図１８に示したように、既存のシステムでは、例えば、ＮＲＳセンタを含む地方競馬既存ネットワーク、ＫＣＣセンタを含む競艇既存ネットワーク、ＶＩＣセンタを含む競輪既存ネットワーク、ＡＩＣセンタを含むオートレース既存ネットワーク等が、それぞれ別々のシステムを構成しており、相互にネットワーク接続はなされていなかった。
【０００４】
(b) ：地方競馬既存ネットワークの説明
以下、図１９に基づいて地方競馬既存ネットワークを説明する。このシステムは、ＮＲＳセンタにホストコンピュータが設置され、このホストコンピュータに対し、ネットワークを介して各種装置が接続されている。前記各種装置としては、地方競馬Ａ、Ｂ、Ｃ、ＤＥ・・・の装置（場内装置）、専用場外発売所Ａ１、Ａ２、Ｂ３・・・の装置（場外装置）、競馬共通場外発売所等の装置が含まれている。そして、ＮＲＳセンタのホストコンピュータと前記各種装置がそれぞれネットワークを介して接続され、通信を行いながら投票等の処理を行っていた。
【０００５】
(c) ：競艇既存ネットワークの説明
以下、図２０に基づいて競艇既存ネットワークを説明する。このシステムは、ＫＣＣセンタにホストコンピュータが設置され、このホストコンピュータに対し、ネットワークを介して各種装置が接続されている。前記各種装置としては、競艇場Ａ、Ｂ、Ｃ、Ｄ、Ｅ・・・の装置（場内装置）、専用場外発売所Ａ１、Ｃ１、・・・の装置（場外装置）、競艇共通場外発売所１・・・等の装置が含まれている。そして、ＫＣＣセンタのホストコンピュータと前記各種装置がそれぞれネットワークを介して接続され、通信を行いながら投票等の処理を行っていた。
【０００６】
(d) ：競輪既存ネットワークの説明
以下、図２１に基づいて競輪既存ネットワークを説明する。このシステムは、ＶＩＣセンタにホストコンピュータが設置され、このホストコンピュータに対し、ネットワークを介して各種装置が接続されている。前記各種装置としては、競輪場Ａ、Ｂ、Ｃ、Ｄ、Ｅ・・・の装置（場内装置）、競輪共通場外発売所１、２・・・の装置（場外装置）、専用場外発売所１・・・等の装置が含まれている。そして、ＶＩＣセンタのホストコンピュータと前記各種装置がそれぞれネットワークを介して接続され、通信を行いながら投票等の処理を行っていた。
【０００７】
(e) ：オートレース既存ネットワークの説明
以下、図２２に基づいてオートレース既存ネットワークを説明する。このシステムは、ＡＩＣセンタにホストコンピュータが設置され、このホストコンピュータに対し、ネットワークを介して各種装置が接続されている。前記各種装置としては、オートレース場Ａ、Ｂ、Ｃ、Ｄ、Ｅ・・・の装置（場内装置）、オートレース共通場外発売所１、２・・・の装置（場外装置）、専用場外発売所Ｃ１・・・等の装置が含まれている。そして、ＡＩＣセンタのホストコンピュータと前記各種装置がそれぞれネットワークを介して接続され、通信を行いながら投票等の処理を行っていた。
【０００８】
(2) ：従来例２
以下、特許文献１を従来例２として説明する。従来例２は投票支援方法に関するものであり、特に、現金を用いることなく、顧客により競馬や競輪、オートレース、競艇等の公営競技への投票及びその投票に基づいた払い戻しを支援するための投票支援方法に関するものである。
【０００９】
また、従来例２は、会員側の利便性を向上させることにより購買意欲を増加させると共に、競技施行団体側のシステムの負荷を軽減させ、競技施行団体の売上を向上させることができるというものである。
【００１０】
この投票支援方法では、ネットワークを介して投票会員側端末により投票会員の口座から競技実施側の口座への振込要求情報に基づいて第１振込情報を生成し、第１振込情報に基づいて、競技実施側の口座番号を含まない振込確認情報を投票会員側端末に提供し、振込確認情報に応じて投票会員側端末から送信された確認情報に基づいて、振込処理を受け付けることにより、会員側のキャッシュレス投票に関する利便性を向上させ、会員の購買意欲を増加させることができると共に、競技施行団体側のシステムの負荷を軽減させ、競技施行団体の売上を向上させることができる。
【特許文献１】特開２００４−５４７９５号公報
【発明の開示】
【発明が解決しようとする課題】
【００１１】
(1) ：従来例１に示した既存のシステムでは、例えば、ＮＲＳセンタを含む地方競馬既存ネットワーク、ＫＣＣセンタを含む競艇既存ネットワーク、ＶＩＣセンタを含む競輪既存ネットワーク、ＡＩＣセンタを含むオートレース既存ネットワーク等が、それぞれ別々のシステムを構成しており、相互にネットワーク接続はなされていなかった。そのため、投票データ等がバラバラに管理されており相互に利用できず、利用者だけでなく、施行者側にとっても不便であった。
【００１２】
(2) ：利用者（ファン等）は異業種公営競技の投票券を購入する場合、それぞれの希望する公営競技システムの投票券発売所の投票券発売機等を利用しなければならず、不便であった。
【００１３】
(3) ：公営競技の施行者側では、新たに投票券発売所等を開設する場合、資金や手間が係り、簡単にできなかった。
【００１４】
(4) ：従来例２は投票支援方法に関するものであり、特に、現金を用いることなく、顧客により競馬や競輪、オートレース、競艇等の公営競技への投票及びその投票に基づいた払い戻しを支援するための投票支援方法に関するものである。
【００１５】
しかし、従来例２では、競馬、競輪、オートレース、競艇等の公営競技のトータリゼータシステムは、相互に通信回線で接続するものではなく、ネットワークの接続形態が本発明とは異なる技術である。
【００１６】
本発明は、競馬、競輪、オートレース、競艇等の公営競技に共通のセンタを設け、このセンタのホストコンピュータと、各公営競技場の既存ネットワーク及び異業種公営競技の投票が可能なマルチ投票端末とを通信回線で接続することにより、任意の場所から異業種公営競技の投票が簡単にできるようにして利用者（ファン等）の利便性を向上させると共に、公営競技の施行者側にとっても、新たに投票券発売所等を開設する場合の資金や手間が少なくなるようにすることを目的とする。
【課題を解決するための手段】
【００１７】
本発明は前記の目的を達成するため、次のように構成した。
【００１８】
(1) ：異業種公営競技の相互端末利用を図る為の異業種公営競技相互端末利用場外センタに設けたホストと、前記異業種公営競技の既存ネットワークにそれぞれ通信回線を介して接続した複数のマルチ投票端末を有し、前記異業種公営競技の既存ネットワーク及びマルチ投票端末とホスト間をそれぞれ通信回線で接続し、相互に通信を行うことで異業種公営競技相互端末利用を可能にした異業種公営競技相互端末利用システムのマルチ投票端末であって、異業種公営競技の投票カードを含む各種投票カードを読み込んで内容を判断し、記入データのエラーチェックを行う投票カードデータ処理手段と、前記判断した投票カードの内容から異業種公営競技用の投票カードと判定し、かつ、前記エラーチェックが正しく終了したら、その投票カードの発券要求を前記ホストへ送信する発券要求処理手段と、前記発券要求に対し、前記ホストから発券可の返答があった場合、該当する業種の投票券を発行する投票券発行手段とを少なくとも備えていることを特徴とする。
【００１９】
(2) ：前記(1) の異業種公営競技相互端末利用システムのマルチ投票端末において、前記投票カードデータ処理手段により、挿入された投票カードから読み込んだデータが異業種のオッズ要求のみであったと判断した場合、そのオッズ要求を前記ホストへ送信するオッズ要求処理手段と、前記オッズ要求に対し、前記ホストから返信を受信した場合、受信したオッズデータを表示装置の画面に表示するオッズデータ表示手段とを少なくとも備えていることを特徴とする。
【００２０】
(3) ：異業種公営競技の相互端末利用を図る為の異業種公営競技相互端末利用場外センタに設けたホストと、前記異業種公営競技の既存ネットワークにそれぞれ通信回線を介して接続した複数のマルチ投票端末を有し、前記異業種公営競技の既存ネットワーク及びマルチ投票端末とホスト間を通信回線で接続し、相互に通信を行うことで異業種公営競技相互端末利用を可能にした異業種公営競技相互端末利用システムのホストであって、前記各マルチ投票端末と通信することで前記マルチ投票端末からの発券要求を受信した場合、その発券要求の業種を確認し、業種別に処理を分岐する処理分岐手段と、発券要求内容をチェックして各業種別の処理部へ指示し、各種集計表を更新する発券処理手段と、各業種別の処理部からの情報により発券可又は不可となった場合、該当するマルチ投票端末へ発券可又は不可応答を行う発券応答手段と、を少なくとも備えていることを特徴とする。
【００２１】
(4) ：前記(3) の異業種公営競技相互端末利用システムのホストにおいて、各業種のシステムと常時通信を行い、競技に関するデータを更新して蓄積する競技情報交換処理手段と、前記マルチ投票端末からオッズ要求を受信した場合、発券要求元の登録を確認し、オッズ要求の業種を確認するオッズ情報処理手段と、要求されたオッズデータを取得して該当するマルチ投票端末へ返信するオッズデータ返信処理手段とを少なくとも備えると共に、インターネットに接続したＷｅｂサーバを通信回線を介して接続していることを特徴とする。
【００２２】
(5) ：異業種公営競技の相互端末利用を図る為の異業種公営競技相互端末利用場外センタに設けたホストと、前記異業種公営競技の既存ネットワークにそれぞれ通信回線を介して接続した複数のマルチ投票端末を有し、前記異業種公営競技の既存ネットワーク及びマルチ投票端末とホスト間をそれぞれ通信回線で接続し、相互に通信を行うことで異業種公営競技相互端末利用を可能にした異業種公営競技相互端末利用システムの投票データ処理方法であって、前記マルチ投票端末において、異業種公営競技の投票カードを含む各種投票カードを読み込んで内容を判断し、記入データのエラーチェックを行う投票カードデータ処理手順と、前記判断した投票カードの内容から異業種公営競技用の投票カードと判定し、かつ、前記エラーチェックが正しく終了したら、その投票カードの発券要求を前記ホストへ送信する発券要求処理手順とを有し、前記ホストにおいて、前記各マルチ投票端末と通信することで前記マルチ投票端末からの発券要求を受信した場合、その発券要求の業種を確認し、業種別に処理を分岐する処理分岐手順と、発券要求内容をチェックして各業種別の処理部へ指示し、各種集計表を更新する発券処理手順と、各業種別の処理部からの情報により発券可又は不可となった場合、該当するマルチ投票端末へ発券可又は不可応答を行う発券応答手順とを有し、その後、前記マルチ投票端末において、前記発券要求に対し、前記ホストから発券可の返答があった場合、該当する業種の投票券を発行する投票券発行手順とを少なくとも備えていることを特徴とする。
【００２３】
（作用）
以下、図１を参照しながら、前記構成に基づく作用を説明する。
【００２４】
(a) ：前記(1) の作用  
マルチ投票端末１では、投票カードデータ処理手段は異業種公営競技の投票カードを含む各種投票カードを読み込んで内容を判断し記入データのエラーチェックを行う。そして、発券要求処理手段は前記判断した投票カードの内容から異業種公営競技用の投票カードと判定し、かつ、前記エラーチェックが正しく終了したら、その投票カードの発券要求を前記ホスト２へ送信する。その後、投票券発行手段は前記発券要求に対し前記ホスト２から発券可の返答があった場合、該当する業種の投票券を発行する。
【００２５】
このようにすれば、何処のシステムでも、マルチ投票端末１を利用することで、異業種公営競技の投票券を購買することが可能になる。
【００２６】
(b) ：前記(2) の作用  
前記(2) では、マルチ投票端末１のオッズ要求処理手段は前記投票カードデータ処理手段により、挿入された投票カードから読み込んだデータが異業種のオッズ要求のみであったと判断した場合、そのオッズ要求を前記ホストへ送信する。そして、オッズデータ表示手段は前記オッズ要求に対し前記ホストから返信を受信した場合、受信したオッズデータを表示装置の画面に表示する。
【００２７】
このようにすれば、利用者（ファン等）は、オッズを見てから投票カードにより投票券を購入することができて便利になる。
【００２８】
(c) ：前記(3) の作用  
前記(3) では、ホスト２の処理分岐手段は各マルチ投票端末１と通信することで前記マルチ投票端末からの発券要求を受信した場合、その発券要求の業種を確認し、業種別に処理を分岐する。次に、発券処理手段は発券要求内容をチェックして各業種別の処理部へ指示し、各種集計表を更新する。また、発券応答手段は各業種別の処理部からの情報により発券可又は不可となった場合、該当するマルチ投票端末１へ発券可又は不可応答を行う。      
【００２９】
このようにすれば、何処のシステムでも、マルチ投票端末１を利用することで、異業種公営競技の投票券を購買することが可能になる。
【００３０】
(d) ：前記(4) の作用
前記(4) では、前記ホスト２の競技情報更新処理手段は各業種のシステムと常時通信を行い、競技に関するデータを更新して蓄積している。また、オッズ情報処理手段は前記マルチ投票端末からオッズ要求を受信した場合、発券要求元の登録を確認し、オッズ要求の業種を確認する。
【００３１】
オッズデータ返信処理手段は要求されたオッズデータを取得して該当するマルチ投票端末１へ返信する。このようにすれば、利用者（ファン等）は、オッズを見てから投票カードにより投票券を購入することができて便利になる。
【００３２】
また、インターネットに接続したＷｅｂサーバを通信回線を介してホストに接続しているので、インターネット個人投票端末で異業種公営競技のオッズを見たり、投票券を購入したりすることが可能になる。
【００３３】
(e) ：前記(5) の作用
前記(5) では、マルチ投票端末１において、投票カードデータ処理手順では異業種公営競技の投票カードを含む各種投票カードを読み込んで内容を判断し、記入データのエラーチェックを行う。次に、発券要求処理手順では前記判断した投票カードの内容から異業種公営競技用の投票カードと判定し、かつ、前記エラーチェックが正しく終了したら、その投票カードの発券要求を前記ホスト２へ送信する。
【００３４】
次に、前記ホスト２において、処理分岐手順では各マルチ投票端末１と通信することでマルチ投票端末１からの発券要求を受信した場合、その発券要求の業種を確認し、業種別に処理を分岐する。次に、発券処理手順では発券要求内容をチェックして各業種別の処理部へ指示し、各種集計表を更新する。次に、発券応答手順では各業種別の処理部からの情報により発券可又は不可となった場合、該当するマルチ投票端末１へ発券可又は不可応答を行う。
【００３５】
その後、マルチ投票端末１において、投票券発行手順では前記発券要求に対し、前記ホスト２から発券可の返答があった場合、該当する業種の投票券を発行する。このようにすれば、何処のシステムでも、マルチ投票端末１を利用することで、異業種公営競技の投票券を購買することが可能になる。
【発明の効果】
【００３６】
(1) ：請求項１では、何処のシステムでも、マルチ投票端末１を利用することで、異業種公営競技の投票券を購買することが可能になる。
【００３７】
(2) ：請求項２では、利用者（ファン等）は、オッズを見てから投票カードにより投票券を購入することができて便利になる。
【００３８】
(3) ：請求項３では、何処のシステムでも、マルチ投票端末１を利用することで、異業種公営競技の投票券を購買することが可能になる。
【００３９】
(4) ：請求項４では、利用者（ファン等）は、オッズを見てから投票カードにより投票券を購入することができて便利になる。また、インターネット個人投票端末で異業種公営競技のオッズを見たり、投票券を購入したりすることが可能になる。
【００４０】
(5) ：請求項５では、何処のシステムでも、マルチ投票端末１を利用することで、異業種公営競技の投票券を購買することが可能になる。
【００４１】
(6) ：その他、請求項１乃至５により次のような効果が得られる。
【００４２】
(a) ：ホスト２を有する前記異業種公営競技相互端末利用場外センタの設置により、異業種公営競技相互間の投票券購入を可能としている。そのため、既存の遊休設備（本場、場外）を利用できる。また、業種の振り分け処理は、総て異業種公営競技相互端末利用場外センタの１箇所でできる。また、各業種の施行者は、設備投資等が無しで、売り上げ（会員）増ができる。
【００４３】
(b) ：異業種公営競技相互端末利用場外センタのホスト２により、共通場外発売所の制御を行っているので、全業種発売要求データのパッキング送信処理が可能である。また、前記センタ２での業種別集計処理と応答電文のパッキング送信処理が可能である。また、パッキング電文の分割処理と端末応答処理が可能であり別離である。
【００４４】
(c) ：挿入された投票カードの種類により、業種を自動で判断するマルチ投票端末１を設けてあるので、投票券購入時にファンは投票カードを必ず記入する。この場合、業種により、投票カードの記入フォーマットが異なるため、業種の投票間違いは発生しない。また、指定組番のオッズを確認し、簡単に投票ができる。
【００４５】
(d) ：施行者側の利点
・場外発売所等の新設をしなくとも、新規ファンが獲得できる。その結果、設備投資無しで「売り上げ向上」となる。
【００４６】
・新規獲得ファンの管理は不要である。その結果、入会手続き、口座開設・管理等の事務処理が不要であり、新規ファンを獲得しても経費増とならない。
【００４７】
・「本場、場外発売所」等の遊休設備を利用し他業種の発売ができる。その結果、他業種ファンが来場し、新規ファンになる事が期待できる。また、他業種との相乗効果で売り上げの増加が期待できる。また、施設の稼働率を上げることができる。また、他業種の施行者間で、お互いに「新規場外発売所」を新設した効果（申請手続きが簡単、低投資等）がある。
【００４８】
(e) ：ファンの利点
・入会手続き、口座開設等の申請手続きを各業種別にする必要がない。すなわち、異業種公営競技相互端末利用場外センタの会員入会手続きのみで済む。
【００４９】
・投票券の購入が簡単となる。例えば、競馬場で「舟券」が購入出来る等、購入場所が拡大される。また、インターネット個人端末では、総ての業種の購入が可能となり、便利である。
【発明を実施するための最良の形態】
【００５０】
§１：システムの説明
図２はシステムの説明図である。このシステムは、図２に示したように複数の異業種公営競技既存ネットワーク（既存の公営競技システム）の他に、新たに異業種公営競技相互端末利用場外センタを設置し、この異業種公営競技相互端末利用場外センタ内にホストコンピュータ（以下、単に「ホスト」と記す）２を設けて、前記複数の異業種公営競技の既存ネットワークと通信回線（以下「ネットワーク」とも記す）で接続すると共に、前記異業種公営競技既存ネットワークにはそれぞれマルチ投票端末１を接続し、このマルチ投票端末１も異業種公営競技相互端末利用場外センタのホスト２と接続した異業種公営競技相互端末利用システムである。
【００５１】
この例では、複数の異業種公営競技ネットワークとして、地方競馬既存ネットワークと、競艇既存ネットワークと、競輪既存ネットワークと、オートレース既存ネットワークがあり、これらの既存ネットワークに、新たに異業種公営競技相互端末利用場外センタ内に設けたホスト２と通信回線（ネットワーク）で接続する。
【００５２】
この場合、前記地方競馬既存ネットワークと、競艇既存ネットワークと、競輪既存ネットワークと、オートレース既存ネットワーク内には、それぞれ新たにマルチ投票端末１（１又は複数）を設置しておき、該マルチ投票端末１も前記ホスト２と通信回線（ネットワーク）で接続する。
【００５３】
また、前記ホスト２には、Ｗｅｂサーバ３を通信回線（ネットワーク）を介して接続し、該Ｗｅｂサーバ３をインターネットに接続する。また、異業種公営競技相互端末利用場外センタ内のホスト２には、マルチ投票端末１を設けた異業種共通場外発売所４を設置し、この異業種共通場外発売所４のマルチ投票端末１もホスト２とネットワークで接続する。また、前記Ｗｅｂサーバ３には、インターネットを介してインターネット個人投票端末５が多数接続できるように構成されている。
【００５４】
§２：システム各部の説明
以下、図３乃至図７に基づいて、前記システム各部の構成等を説明する。
【００５５】
(1) ：異業種公営競技相互端末利用場外センタの説明
図３は異業種公営競技相互端末利用場外センタの説明図である。図３に示したように、異業種公営競技相互端末利用場外センタ内には、ホスト２と、該ホスト２に通信回線を介して接続されたＷｅｂサーバ３が設けてある。ホスト２には、通信回線を介して複数の異業種公営競技既存ネットワークが接続されており、相互に通信が行われている。
【００５６】
この場合、複数の異業種公営競技既存ネットワークには、それぞれ任意数のマルチ投票端末１が設けてあり、このマルチ投票端末１とホスト２との間も通信回線で接続され、相互に通信が行われるように構成されている。また、ホスト２と異業種共通場外発売所４内のマルチ投票端末１は専用回線（通信回線）で接続され、インターネット個人投票端末５はインターネットを介してＷｅｂサーバ３に接続できるようになっている。
【００５７】
(2) ：地方競馬ネットワークの説明
図４は地方競馬ネットワークの説明図である。図４に示したように、地方競馬ネットワークは、地方競馬既存ネットワーク（従来例参照）に、新たにマルチ投票端末１を設けてある。そして、このマルチ投票端末１を異業種公営競技相互端末利用場外センタのホスト２と通信回線（専用回線又は公衆回線）を介して接続し、相互に通信ができるように構成してある。また、地方競馬既存ネットワークの通信回線と前記異業種公営競技相互端末利用場外センタのホスト２と専用回線で接続し相互に通信ができるように構成してある。
【００５８】
(3) ：競艇ネットワークの説明
図５は競艇ネットワークの説明図である。図５に示したように、競艇ネットワークは、競艇既存ネットワーク（従来例参照）に、新たにマルチ投票端末１を設けてある。そして、このマルチ投票端末１を異業種公営競技相互端末利用場外センタのホスト２と通信回線（専用回線又は公衆回線）を介して接続し、相互に通信ができるように構成してある。また、競艇既存ネットワークの通信回線と前記異業種公営競技相互端末利用場外センタのホスト２と専用回線で接続し、相互に通信ができるように構成してある。
【００５９】
(4) ：競輪ネットワークの説明
図６は競輪ネットワークの説明図である。図６に示したように、競輪ネットワークは、競輪既存ネットワーク（従来例参照）に、新たにマルチ投票端末１を設けてある。そして、このマルチ投票端末１を異業種公営競技相互端末利用場外センタのホスト２と通信回線（専用回線又は公衆回線）を介して接続し、相互に通信ができるように構成してある。また、競輪既存ネットワークの通信回線と前記異業種公営競技相互端末利用場外センタのホスト２と専用回線で接続し、相互に通信ができるように構成してある。
【００６０】
(5) ：オートレースネットワークの説明
図７はオートレースネットワークの説明図である。図７に示したように、オートレースネットワークは、オートレース既存ネットワーク（従来例参照）に、新たにマルチ投票端末１を設けてある。そして、このマルチ投票端末１を異業種公営競技相互端末利用場外センタのホスト２と通信回線（専用回線又は公衆回線）を介して接続し、相互に通信ができるように構成してある。また、オートレース既存ネットワークの通信回線と前記異業種公営競技相互端末利用場外センタのホスト２と専用回線で接続し、相互に通信ができるように構成してある。
【００６１】
§３：前記システムの詳細な構成の説明
以下、図８、図９に基づいて、前記ホスト、マルチ投票端末等の詳細な構成を説明する。
【００６２】
(1) ：ホストの詳細な構成の説明
図８は異業種公営競技相互端末利用場外センタのホストの説明図である。図８に示したように、異業種公営競技相互端末利用場外センタ内のホスト２は、主制御部（例えば、ＣＰＵ）１１、Ｉ／Ｆ制御部（インタフェース制御部）１２、通信制御部１３、主処理部１４、主処理部用データベース１５、競馬処理部１６、競馬処理部用データベース１７、競艇処理部１８、競艇処理部用データベース１９、ワーク用メモリ２０、競輪処理部２１、競輪処理部用データベース２２、オートレース処理部２３、オートレース処理部用データベース２４等を備えている。
【００６３】
主制御部（ＣＰＵ、ＭＰＵ等のプロセッサ）１１は、装置内の各種制御や処理を行うものである。Ｉ／Ｆ制御部（インタフェース制御部）１２は、外部に接続したＩ／Ｏ装置（表示装置等）等に対するインタフェース制御（入出力制御）を行うものである。通信制御部１３は、異業種公営競技システムやその他の外部に設置した装置（場外発売機等）との通信制御を行うものである。
【００６４】
主処理部１４は、主制御部１１の指示により、ホスト２内での主処理を行うものである。主処理部用データベース１５は、主処理部１４の処理で必要なデータを格納しておくものである。
【００６５】
競馬処理部１６は、地方競馬等の競馬競技に関する情報を処理するものである。競馬処理部用データベース１７は、競馬に関する情報を格納するものである。競艇処理部１８は、競艇競技に関する情報を処理するものである。競艇処理部用データベース１９は、競艇に関する情報を格納するものである。ワーク用メモリ２０は、前記各部がワーク用として使用するメモリである。
【００６６】
競輪処理部２１は、競輪に関する情報を格納するものである。競輪処理部用データベース２２は、競輪に関する情報を格納するものである。オートレース処理部２３は、オートレースに関する処理を行うものである。オートレース処理部用データベース２４は、オートレースに関する情報を格納するものである。
【００６７】
なお、前記Ｉ／Ｆ制御部（インタフェース制御部）１２、通信制御部１３、主処理部１４、競馬処理部１６、競艇処理部１８、競輪処理部２１、オートレース処理部２３等は、それぞれプログラムで構成し、主制御部１１が前記プログラムを実行することで前記処理を実現するものである。
【００６８】
(2) ：マルチ投票端末の詳細な構成の説明
図９のＡ図はマルチ投票端末の説明図である。図９に示したように、マルチ投票端末１は、主制御部（ＣＰＵ、ＭＰＵ等のプロセッサ）３１、通信制御部３２、投票カードデータ処理部３３、メモリ３４、Ｉ／Ｆ制御部３５、機構部（メカ部）３６、投票カード読取機構制御部３７、投票券発行機機構制御部３８、その他機構制御部３９、表示装置４０等を備えている。
【００６９】
主制御部３１は、端末内の各種制御や処理を行うものである。通信制御部３２は、外部装置等との間で通信を行う際の通信制御を行うものである。投票カードデータ処理部３３は、投票カードから読み取ったデータの各種処理等を行うものである。メモリ３４は、前記各部がワーク用として使用するメモリである。
【００７０】
Ｉ／Ｆ制御部３５は、外部に接続したＩ／Ｏ機器等のインタフェース制御（入出力制御等）を行うものである。機構部（メカ部）３６は、投票カード挿入／返却機構、投票カードの磁気コード読取機構、投票券発行機構等の各種機構部（メカ部）を含んで構成されるものである。投票カード読取機構制御部３７は、投票カードの磁気コード読取機構の制御を行うものである。投票券発行機機構制御部３８は、投票券発行機構の制御を行うものである。その他機構制御部３９は、その他機構を制御するものである。
【００７１】
なお、前記通信制御部３２、投票カードデータ処理部３３、Ｉ／Ｆ制御部３５、機構部（メカ部）３６、投票カード読取機構制御部３７、投票券発行機機構制御部３８、その他機構制御部３９等は、それぞれプログラムで構成し、主制御部１１が前記プログラムを実行することで前記処理を実現するものである。
【００７２】
(3) ：投票カードの説明
図９のＢ図は投票カードの説明図である。この投票カードは、競馬、競艇、競輪、オートリース等の異業種公営競技毎に異なる内容のカードであり、予め、競技の種類毎に用意しておく。この場合、全競技に共通するのは、オッズ要求欄が設けてあることである。このオッズ要求欄には、知りたい競技のオッズ要求を記入し、更に、従来と同様に「レース式別組番入力欄」（競技内容で異なる）に記入してからマルチ投票端末１のカード挿入口から挿入する。
【００７３】
前記オッズ要求欄に記入するのは、投票前に、オッズを知り、その情報を基に投票を行う場合に、先ず、オッズ要求を行うのである。
【００７４】
§４：マルチ投票端末及びホストの処理の説明
以下、図１０乃至図１３に基づき、マルチ投票端末及びホストの処理を説明する。
【００７５】
(1) ：マルチ投票端末の処理
図１０はマルチ投票端末の処理フローチャート（その１）、図１１はマルチ投票端末の処理フローチャート（その２）である。以下、図１０、１１に基づきマルチ投票端末の処理を説明する。なお、図１０、１１において、Ｓ１〜Ｓ１４は各処理ステップを示す。
【００７６】
利用者が投票カードの必要事項を記入してマルチ投票端末１に挿入すると、マルチ投票端末１では、先ず、主制御部３１の制御により投票カード読取機構制御部３７の制御で機構部３６により、挿入された投票カードを読み取り（投票カードの磁気コードを読取機構が読み取り）、投票カードデータ処理部３３が読み取ったデータを取り込んで解析する（Ｓ１）。
【００７７】
そして、投票カードデータ処理部３３は、投票カードのデータが「投票要求」か「オッズ要求」かを判断する（Ｓ２）。その結果、投票カードデータ処理部３３は、投票カードが投票要求であれば、投票カードのデータを基に、投票カード種別により業種（競馬、競艇、競輪、オートレース）を判定し（Ｓ３）、投票カードの記入エラーチェックを行い（Ｓ４）、エラー有りかを判定する（Ｓ５）。
【００７８】
その結果、エラー有りの場合は、投票カードを客（利用者）に返却し、エラー箇所を訂正した投票カードの再挿入を促し（Ｓ６）、Ｓ１の処理へ移行する。
【００７９】
また、前記Ｓ２の処理で、投票カードのデータがオッズ要求であれば、主制御部３１の制御により、通信制御部３２は、挿入されたオッズ要求内容を異業種公営競技相互端末利用場外センタのホスト２へ送信する（Ｓ７）。その後、異業種公営競技相互端末利用場外センタのホスト２からの返答を受信するのを待ち（Ｓ８）、返答を受信したら、Ｉ／Ｆ制御部３５を介して表示装置４０へ送る。そして、表示装置４０において、受信したオッズを画面に表示し（Ｓ９）、この処理を終了する。
【００８０】
また、前記Ｓ５の処理で、エラーが無ければ、主制御部３１の制御により通信制御部３２は、異業種公営競技相互端末利用場外センタのホスト２へ発券要求送信を行う（Ｓ１０）。その後、異業種公営競技相互端末利用場外センタのホスト２からの応答を待ち（Ｓ１１）、応答があれば、投票カードデータ処理部３３は、応答の内容は発券「可」か、発券「不可」かを判断し（Ｓ１２）、発券「可」であれば、投票券発行機機構制御部３８の制御により、機構部３６から投票券を発行し（Ｓ１３）、この処理を終了する。
【００８１】
また、前記Ｓ１２の処理で、発券「不可」であれば、その他の機構制御部３９の制御により機構部３６が投票カードを客（利用者）に返却し（Ｓ１４）、この処理を終了する。      
【００８２】
(2) 異業種公営競技相互端末利用場外センタのホストの処理
図１２は異業種公営競技相互端末利用場外センタのホストの処理フローチャート（その１）、図１３は異業種公営競技相互端末利用場外センタのホストの処理フローチャート（その２）である。以下、図１２、１３に基づき異業種公営競技相互端末利用場外センタのホストの処理を説明する。なお、図１２、１３において、Ｓ２１〜Ｓ３４は各処理ステップを示す。
【００８３】
異業種公営競技相互端末利用場外センタのホストコンピュータ（以下、単に「ホスト」と記す）は、マルチ投票端末１より電文を受信すると、主制御部１１の制御により主処理部１４は、受信した電文は発券要求かオッズ要求かを判断する（Ｓ２１）。その結果、発券要求であれば、受信した電文を基に、発券要求元が登録済か否かをデータベースから検索して確認する（Ｓ２２）。
【００８４】
そして、主処理部１４は、主処理部用データベース１５を検索して登録済かを判断し（Ｓ２３）、登録済であれば発券要求の業種を確認し（Ｓ２４）、業種を確認できたかを判断する（Ｓ２５）。そして、主処理部１４は、業種を確認できたら、業種別に処理を分岐する（Ｓ２６）。次に、各分岐先の処理部（例えば、競艇処理部１８）は、発券要求内容をチェックし（Ｓ２７）、発券要求内容はＯＫかを判断する（Ｓ２８）。
【００８５】
その結果、発券要求内容がＯＫならば、各種集計表を更新し（Ｓ２９）、通信制御部１３を介して該当するマルチ投票端末１へ発券「可」を通知して（Ｓ３０）、この処理を終了する。また、前記Ｓ２３，Ｓ２５、Ｓ２８の処理でＮＧであれば、通信制御部１３を介して該当するマルチ投票端末１へ発券「不可」を通知してこの処理を終了する。
【００８６】
一方、Ｓ２１の処理で、オッズ要求であれば、受信電文を基に、発券要求元の登録を確認する（Ｓ３２）。次に、オッズ要求の業種を確認する（Ｓ３３）。次に、要求されたオッズデータを、通信制御部１３を介して該当するマルチ投票端末１へ返信して（Ｓ３４）この処理を終了する。
【００８７】
§５：処理例の説明
図１４は処理例１の説明図（その１）、図１５は処理例１の説明図（その２）である。以下、図１４、図１５に基づき、具体的な処理例について説明する。
【００８８】
(1) ：処理例１は、Ｂ競馬場内のマルチ投票端末１で、Ｂ競艇場の「舟券」を購入する例である。（図１４参照）
(a) ：マルチ投票端末１の処理１
Ａ：利用者は、競艇用の投票カードに購入内容をマークする。
【００８９】
Ｂ：次に利用者は、マルチ投票端末１に投票カードを挿入する。
【００９０】
Ｃ：この時、マルチ投票端末１は、挿入された投票カード種別により業種を自動判定する。
【００９１】
Ｄ：そして、マルチ投票端末１は投票カードの記入エラーをチェックする。すなわち、規定の記入方法で投票カードに必要事項が記入されているか否かをチェックする。この場合、規定の記入方法で投票カードに必要事項が記入されていないと判断したら、投票カードを客（利用者）に返却し、再度、正しく記入した投票カードを挿入するようにメッセージ等で促す。
【００９２】
このようにして投票カードのチェックが正しく終了（チェック結果＝ＯＫ）となったら、マルチ投票端末１はホスト２へ発券要求を送信する。
【００９３】
(b) ：ホストの処理１
Ｅ：前記マルチ投票端末１からの発券要求を受信したホスト２は、データベースを検索して発券要求元「場外発売所」の登録を確認する。前記登録が確認できなかった場合はＮＧとする。
【００９４】
Ｆ：発券要求元「場外発売所」の登録を確認した場合（確認＝ＯＫの場合）、データベースを検索して発券要求の業種（この例では、業種＝競艇）を確認する。前記業種が確認できなかった場合はＮＧとする。
【００９５】
Ｇ：発券要求の業種が確認された（業種確認＝ＯＫ）場合は、業種別に処理を分岐する。
【００９６】
Ｈ：発券要求内容チェックを行う。この場合、発券要求内容チェックで発券要求内容がエラーとなった場合には、ＮＧとする。
【００９７】
Ｉ：発券要求内容チェックでＯＫとなった場合には、データベースの各種集計表更新を行う。
【００９８】
Ｊ：発券「可」応答を該当するマルチ投票端末１（発券要求元）に対して行う。
【００９９】
Ｋ：前記Ｅ、Ｆ、Ｈの処理でＮＧとなった場合には、発券「不可」応答を該当するマルチ投票端末１（発券要求元）に対して行う。
【０１００】
(c) ：マルチ投票端末１の処理２
Ｌ：ホスト２から発券「可」応答を受信した場合、マルチ投票端末１は、投票券を発行する。
【０１０１】
Ｍ：ホスト２から発券「不可」応答を受信した場合、マルチ投票端末１は、投票券を「発券不可」にして表示装置の画面にその旨表示する。そして、投票カードを客（利用者）に返却する。
【０１０２】
(2) ：処理例２は、Ｂ競馬場内のマルチ投票端末１で、Ｂ競艇場の「オッズデータ」を要求する例である。（図１４参照）
(a) ：マルチ投票端末１の処理１
ｄ−Ａ：利用者は投票カードのオッズ要求欄にオッズ要求内容をマークしてマルチ投票端末１に挿入する。この時、マルチ投票端末１は、投票カードのオッズ要求欄の情報を解析し、ホスト２へオッズ要求を送信する。
【０１０３】
(b) ：ホストの処理１
ｄ−Ｂ：ホスト２は、常時、異業種公営競技のシステムと通信しており、競技に関する情報を収集している。このような状態で、前記マルチ投票端末１からオッズ要求を受信すると、前記マルチ投票端末１からのオッズ要求を受信したホスト２は、データベースを検索して発券要求元「場外発売所」の登録を確認する。前記登録が確認できなかった場合はＮＧとする。
【０１０４】
ｄ−Ｃ：次に、発券要求元「場外発売所」の登録を確認した場合（確認＝ＯＫの場合）、データベースを検索してオッズ要求の業種（この例では、業種＝競艇）を確認する。前記業種が確認できなかった場合はＮＧとする。
【０１０５】
ｄ−Ｄ：そして、オッズ要求の業種が確認された（業種確認＝ＯＫ）場合は、オッズ要求を該当するマルチ投票端末１へ返信する。
【０１０６】
(c) ：マルチ投票端末１の処理２
ｄ−Ｅ：ホスト２からの返信を受信したマルチ投票端末１は、オッズ情報を表示装置の画面に表示する。
【０１０７】
(3) ：常時通信しているループの処理例（図１５参照）
ホスト２と異業種公営競技システム間で常時通信しており、情報の交換、更新、収集等を行っている。その１例を以下に説明する。
【０１０８】
(a) ：ホスト２の処理１
ａ１：一定周期で発売集計表送信、場、レース、式別、組番別の情報を競艇業界の既存ネットワークセンタへ送信する。
【０１０９】
(b) ：競艇業界既存ネットワークセンタの処理１
ａ２：場外別発売集計表更新
ａ３：場別発売集計表更新
ａ４：一定周期で発売集計表送信、場、レース、式別、組番別
(c) ：競艇Ｂ場本場トータリゼータシステムの処理１
ａ５：発売集計表更新
ｄ１：本場と場外発売を合算して一定周期でオッズ更新
(d) ：競艇業界既存ネットワークセンタの処理２
ｄ３：発売場のオッズ情報更新、場、レース、式別、組番別
(e) ：ホスト２の処理２
ｂ１：一定周期で払戻集計表送信、場、レース、式別、組番別
(f) ：競艇業界既存ネットワークセンタの処理３
ｂ２：場外別払戻集計表更新
ｂ３：場別払戻集計表更新
ｂ４：一定周期で発売集計表送信、場、レース、式別、組番別
(g) ：競艇Ｂ場本場トータリゼータシステムの処理２
ｂ５：発売集計表更新
(e) ：ホスト２の処理３
ｄ４：業種別発売場のオッズ情報更新、場、レース、式別、組番別
【０１１０】
§６：オッズ要求欄のある投票カードの説明
図１６はオッズ要求欄のある投票カードの説明図である。オッズ要求欄のある投票カードを用いると、指定組番のオッズを確認し、簡単に投票ができる。その手順８（利用者の手順も含む）は次の通りである。なお、図１６において、Ｓ５１〜Ｓ５８は各処理ステップを示す。
【０１１１】
先ず、利用者は、通常の投票カードと同様にして、オッズ要求欄のある投票カード（図９のＢ図参照）に必要事項を記入する（Ｓ５１）。次に、利用者は、投票カードのオッズ欄にマークを記入する（Ｓ５２）。そして、利用者は、マルチ投票端末１に記入済の投票カードを挿入する（Ｓ５３）。
【０１１２】
この時、マルチ投票端末１からオッズ要求をホスト２へ送信する（Ｓ５４）。その後、マルチ投票端末１は、ホスト２からオッズを受信し、表示装置の投票画面にオッズを表示する（Ｓ５５）。利用者は、画面のオッズ表示を確認し、マルチ投票端末１に投票金額を入力する（紙幣や硬貨を投入する）（Ｓ５６）。
【０１１３】
そして、利用者は、マルチ投票端末１の投票画面（タッチパネル）で、発券キーを押下する（Ｓ５７）。この時、マルチ投票端末１は、所定の金額を受け取ると、投票券を発券して（Ｓ５８）、この処理を終了する。
【０１１４】
§７：データベースのデータ例
(1) ：主処理部用データベース１４のデータ
主処理部用データベース１５には、次のような共通管理情報（データ）が格納されている。
【０１１５】
◎：共通管理情報
・センタ登録場情報（業種別センタ登録情報）
・場外登録場情報（業種別統合センタ配下場外登録情報）
・個人会員登録情報（会員個人情報、会員別口座残高情報、会員別発売集計表、会員別払戻集計表、会員履歴情報）
(2) ：競馬処理部用データベース１７、競艇処理部用データベース１９、競輪処理部用データベース２２、オートレース処理部用データベース２４には、それぞれの業種別に次のような情報（データ）が格納されている。
【０１１６】
◎：業種別管理情報
・開催場情報（発売要綱、払戻要綱、オッズ情報等の情報データ）
・集計・払戻情報（開催場別レース別組番別集計表、開催場別レース別組番別払戻集計表、統合センタ配下の場外別レース別集計表、統合センタ配下の場外別端末別発売集計表、統合センタ配下の場外別レース別払戻集計表、統合センタ配下の場外別端末別集計表、個人投票端末合計レース別発売集計表、個人投票端末合計レース払戻集計表）
【０１１７】
§８：本発明の特徴（利点）の説明
(1) ：施行者側の利点
・場外発売所等の新設をしなくとも、新規ファンが獲得できる。その結果、設備投資無しで「売り上げ向上」となる。
【０１１８】
・新規獲得ファンの管理は不要である。その結果、入会手続き、口座開設・管理等の事務処理が不要であり、新規ファンを獲得しても経費増とならない。
【０１１９】
・「本場、場外発売所」等の遊休設備を利用し他業種の発売ができる。その結果、他業種ファンが来場し、新規ファンになる事が期待できる。また、他業種との相乗効果で売り上げの増加が期待できる。また、施設の稼働率を上げることができる。また、他業種の施行者間で、お互いに「新規場外発売所」を新設した効果（申請手続きが簡単、低投資等）がある。
【０１２０】
(2) ：ファンの利点
・入会手続き、口座開設等の申請手続きを各業種別にする必要がない。すなわち、異業種公営競技相互端末利用場外センタの会員入会手続きのみで済む。
【０１２１】
・投票券の購入が簡単となる。例えば、競馬場で「舟券」が購入出来る等、購入場所が拡大される。また、インターネット個人端末では、総ての業種の購入が可能となり、便利である。
【０１２２】
§９：補足説明
(1) ：ホスト２を有する前記異業種公営競技相互端末利用場外センタの設置により、異業種公営競技相互間の投票券購入を可能としている。そのため、既存の遊休設備（本場、場外）を利用できる。また、業種の振り分け処理は、総て異業種公営競技相互端末利用場外センタの１箇所でできる。また、各業種の施行者は、設備投資等が無しで、売り上げ（会員）増ができる。
【０１２３】
(2) ：異業種公営競技相互端末利用場外センタのホスト２により、共通場外発売所の制御を行っているので、全業種発売要求データのパッキング送信処理が可能である。また、前記センタ２での業種別集計処理と応答電文のパッキング送信処理が可能である。また、パッキング電文の分割処理と端末応答処理が可能であり別離である。
【０１２４】
(3) ：挿入された投票カードの種類により、業種を自動で判断するマルチ投票端末１を設けてあるので、投票券購入時にファンは投票カードを必ず記入する。この場合、業種により、投票カードの記入フォーマットが異なるため、業種の投票間違いは発生しない。また、指定組番のオッズを確認し、簡単に投票ができる。
【０１２５】
§１０：具体的な装置例と記録媒体の説明
図１７は具体的な装置例である。図２に示したマルチ投票端末１及びホスト２の制御系の装置は、例えば、図１７に示した装置により実現することができる。この装置例は、パーソナルコンピュータ、ワークステーション等の任意のコンピュータと機構部（メカ部）等を組み合わせにより実現する装置であり、その制御系の装置は、コンピュータ本体５１と、該コンピュータ本体５１に接続された表示装置５２、入力装置（キーボード、マウス等）５３、ＣＤ−ＲＯＭドライブ等のリムーバブルディスクドライブ（以下「ＲＤＤ」と記す）５４、ハードディスク装置（以下「ＨＤＤ」と記す）５５等を備えている。
【０１２６】
そして、前記コンピュータ本体５１には、装置内の各種制御等を行うＣＰＵ（中央演算処理装置）５６、プログラムや各種パラメータ等のデータを格納しておくためのＲＯＭ（不揮発性メモリ）５７、ＣＰＵ５６がワーク用として使用するメモリ５８、外部のＩ／Ｏ装置とのインタフェース制御を行うインタフェース制御部（Ｉ／Ｆ制御部）５９、外部との通信制御を行う通信制御部６０等を備えている。
【０１２７】
そして、前記マルチ投票端末１及びホスト２が行う処理は、予めＨＤＤ５５のハードディスク（記録媒体、或いは記憶媒体）、或いはＲＯＭ５７に格納（記録、或いは記憶）しておいたプログラムを、ＣＰＵ５６の制御により読み出し、該ＣＰＵ５６が読み出したプログラムを実行することにより行う。
【０１２８】
しかし、本願発明は、このような例に限らず、例えば、ＨＤＤ５５のハードディスクに、次のようにしてプログラムを格納し、このプログラムをＣＰＵ５６が実行することで前記処理を行うことも可能である。
【０１２９】
(a) ：他の装置で作成されたリムーバブルディスクに格納されているプログラム（他の装置で作成したプログラムデータ）を、ＲＤＤ５４により読み取り、ＨＤＤ５５の記録媒体（ハードディスク）に格納する。
【０１３０】
(b) ：ＬＡＮ等の通信回線を介して他の装置から伝送されたプログラム等のデータを、通信制御部６０を介して受信し、そのデータをＨＤＤ５５の記録媒体（ハードディスク）に格納する。
【０１３１】
§１１：付記
前記の説明に対し、次の構成を付記する。
【０１３２】
（付記１）          
異業種公営競技の相互端末利用を図る為の異業種公営競技相互端末利用場外センタに設けたホストと、前記異業種公営競技の既存ネットワークにそれぞれ通信回線を介して接続した複数のマルチ投票端末を有し、
前記異業種公営競技の既存ネットワーク及びマルチ投票端末とホスト間をそれぞれ通信回線で接続し、相互に通信を行うことで異業種公営競技相互端末利用を可能にした異業種公営競技相互端末利用システムのマルチ投票端末であって、
異業種公営競技の投票カードを含む各種投票カードを読み込んで内容を判断し、記入データのエラーチェックを行う投票カードデータ処理手段と、
前記判断した投票カードの内容から異業種公営競技用の投票カードと判定し、かつ、前記エラーチェックが正しく終了したら、その投票カードの発券要求を前記ホストへ送信する発券要求処理手段と、
前記発券要求に対し、前記ホストから発券可の返答があった場合、該当する業種の投票券を発行する投票券発行手段と、
を少なくとも備えていることを特徴とする異業種公営競技相互端末利用システムのマルチ投票端末。
【０１３３】
（付記２）  
前記投票カードデータ処理手段により、挿入された投票カードから読み込んだデータが異業種のオッズ要求のみであったと判断した場合、そのオッズ要求を前記ホストへ送信するオッズ要求処理手段と、
前記オッズ要求に対し、前記ホストから返信を受信した場合、受信したオッズデータを表示装置の画面に表示するオッズデータ表示手段と、
を少なくとも備えていることを特徴とする付記１記載の異業種公営競技相互端末利用システムのマルチ投票端末。
【０１３４】
（付記３）    
異業種公営競技の相互端末利用を図る為の異業種公営競技相互端末利用場外センタに設けたホストと、前記異業種公営競技の既存ネットワークにそれぞれ通信回線を介して接続した複数のマルチ投票端末を有し、
前記異業種公営競技の既存ネットワーク及びマルチ投票端末とホスト間を通信回線で接続し、相互に通信を行うことで異業種公営競技相互端末利用を可能にした異業種公営競技相互端末利用システムのホストであって、
前記各マルチ投票端末と通信することで前記マルチ投票端末からの発券要求を受信した場合、その発券要求の業種を確認し、業種別に処理を分岐する処理分岐手段と、
発券要求内容をチェックして各業種別の処理部へ指示し、各種集計表を更新する発券処理手段と、
各業種別の処理部からの情報により発券可又は不可となった場合、該当するマルチ投票端末へ発券可又は不可応答を行う発券応答手段と、
を少なくとも備えていることを特徴とする異業種公営競技相互端末利用システムのホスト。
【０１３５】
（付記４）          
各業種のシステムと常時通信を行い、競技に関するデータを更新して蓄積する競技情報更新処理手段と、
前記マルチ投票端末からオッズ要求を受信した場合、発券要求元の登録を確認し、オッズ要求の業種を確認するオッズ情報処理手段と、
要求されたオッズデータを取得して該当するマルチ投票端末へ返信するオッズデータ返信処理手段とを少なくとも備えると共に、
インターネットに接続したＷｅｂサーバを通信回線を介して接続していることを特徴とする付記３記載の異業種公営競技相互端末利用システムのホスト。
【０１３６】
（付記５）          
異業種公営競技の相互端末利用を図る為の異業種公営競技相互端末利用場外センタに設けたホストと、前記異業種公営競技の既存ネットワークにそれぞれ通信回線を介して接続した複数のマルチ投票端末を有し、前記異業種公営競技の既存ネットワーク及びマルチ投票端末とホスト間をそれぞれ通信回線で接続し、相互に通信を行うことで異業種公営競技相互端末利用を可能にした異業種公営競技相互端末利用システムの投票データ処理方法であって、
前記マルチ投票端末において、異業種公営競技の投票カードを含む各種投票カードを読み込んで内容を判断し、記入データのエラーチェックを行う投票カードデータ処理手順と、前記判断した投票カードの内容から異業種公営競技用の投票カードと判定し、かつ、前記エラーチェックが正しく終了したら、その投票カードの発券要求を前記ホストへ送信する発券要求処理手順とを有し、
前記ホストにおいて、前記各マルチ投票端末と通信することで前記マルチ投票端末からの発券要求を受信した場合、その発券要求の業種を確認し、業種別に処理を分岐する処理分岐手順と、発券要求内容をチェックして各業種別の処理部へ指示し、各種集計表を更新する発券処理手順と、各業種別の処理部からの情報により発券可又は不可となった場合、該当するマルチ投票端末へ発券可又は不可応答を行う発券応答手順とを有し、
その後、前記マルチ投票端末において、前記発券要求に対し、前記ホストから発券可の返答があった場合、該当する業種の投票券を発行する投票券発行手順と、
を少なくとも備えていることを特徴とする異業種公営競技相互端末利用システムの投票データ処理方法。
【０１３７】
（付記６）
異業種公営競技の相互端末利用を図る為の異業種公営競技相互端末利用場外センタに設けたホストと、前記異業種公営競技の既存ネットワークにそれぞれ通信回線を介して接続した複数のマルチ投票端末を有し、前記異業種公営競技の既存ネットワーク及びマルチ投票端末とホスト間をそれぞれ通信回線で接続し、相互に通信を行うことで異業種公営競技相互端末利用を可能にした異業種公営競技相互端末利用システムのマルチ投票端末に、
異業種公営競技の投票カードを含む各種投票カードを読み込んで内容を判断し、記入データのエラーチェックを行う投票カードデータ処理手段と、
前記判断した投票カードの内容から異業種公営競技用の投票カードと判定し、かつ、前記エラーチェックが正しく終了したら、その投票カードの発券要求を前記ホストへ送信する発券要求処理手段と、
前記発券要求に対し、前記ホストから発券可の返答があった場合、該当する業種の投票券を発行する投票券発行手段の機能を実現させるためのプログラム、又は該プログラムを記録したコンピュータ読み取り可能な記録媒体。
【０１３８】
（付記７）
前記投票カードデータ処理手段により、挿入された投票カードから読み込んだデータが異業種のオッズ要求のみであったと判断した場合、そのオッズ要求を前記ホストへ送信するオッズ要求処理手段と、
前記オッズ要求に対し、前記ホストから返信を受信した場合、受信したオッズデータを表示装置の画面に表示するオッズデータ表示手段の機能を実現させるための付記６記載のプログラム、又は該プログラムを記録したコンピュータ読み取り可能な付記６記載の記録媒体。
【０１３９】
（付記８）    
異業種公営競技の相互端末利用を図る為の異業種公営競技相互端末利用場外センタに設けたホストと、前記異業種公営競技の既存ネットワークにそれぞれ通信回線を介して接続した複数のマルチ投票端末を有し、
前記異業種公営競技の既存ネットワーク及びマルチ投票端末とホスト間を通信回線で接続し、相互に通信を行うことで異業種公営競技相互端末利用を可能にした異業種公営競技相互端末利用システムのホストに、
前記各マルチ投票端末と通信することで前記マルチ投票端末からの発券要求を受信した場合、その発券要求の業種を確認し、業種別に処理を分岐する処理分岐手段と、
発券要求内容をチェックして各業種別の処理部へ指示し、各種集計表を更新する発券処理手段と、
各業種別の処理部からの情報により発券可又は不可となった場合、該当するマルチ投票端末へ発券可又は不可応答を行う発券応答手段の機能を実現させるためのプログラム、又は該プログラムを記録したコンピュータ読み取り可能な記録媒体。
【０１４０】
（付記９）          
各業種のシステムと常時通信を行い、競技に関するデータを更新して蓄積する競技情報更新処理手段と、
前記マルチ投票端末からオッズ要求を受信した場合、発券要求元の登録を確認し、オッズ要求の業種を確認するオッズ情報処理手段の機能を実現させるための付記８記載のプログラム、又は該プログラムを記録したコンピュータ読み取り可能な付記８記載の記録媒体。
【図面の簡単な説明】
【０１４１】
【図１】本発明の原理説明図である。
【図２】実施の形態におけるシステムの説明図である。
【図３】実施の形態における異業種公営競技相互端末利用場外センタの説明図である。
【図４】実施の形態における地方競馬ネットワークの説明図である。
【図５】実施の形態における競艇ネットワークの説明図である。
【図６】実施の形態における競輪ネットワークの説明図である。
【図７】実施の形態におけるオートレースネットワークの説明図である。
【図８】実施の形態における異業種公営競技相互端末利用場外センタのホストの説明図である。
【図９】実施の形態におけるマルチ投票端末と投票カードの説明図であり、Ａ図はマルチ投票端末の説明図、Ｂ図は投票カードの説明図である。
【図１０】実施の形態におけるマルチ投票端末の処理フローチャート（その１）である。
【図１１】実施の形態におけるマルチ投票端末の処理フローチャート（その２）である。
【図１２】実施の形態における異業種公営競技相互端末利用場外センタのホストの処理フローチャート（その１）である。
【図１３】実施の形態における異業種公営競技相互端末利用場外センタのホストの処理フローチャート（その２）である。
【図１４】実施の形態における処理例１の説明図（その１）である。
【図１５】実施の形態における処理例１の説明図（その２）である。
【図１６】実施の形態におけるオッズ要求欄のある投票カードの説明図である。
【図１７】実施の形態における具体的な装置例である。
【図１８】従来例における既存システムの説明図である。
【図１９】従来例における地方競馬既存ネットワークの説明図である。
【図２０】従来例における競艇既存ネットワークの説明図である。
【図２１】従来例における競輪既存ネットワークの説明図である。
【図２２】従来例におけるオートレース既存ネットワークの説明図である。
【符号の説明】
【０１４２】
１  マルチ投票端末
２  ホストコンピュータ（ホスト）
３  Ｗｅｂサーバ
４  異業種共通場外発売所
５  インターネット個人投票端末  
１１  主制御部
１２  Ｉ／Ｆ制御部（インタフェース制御部）
１３  通信制御部
１４  主処理部
１５  主処理部用データベース
１６  競馬処理部
１７  競馬処理部用データベース
１８  競艇処理部
１９  競艇処理部用データベース
２０  ワーク用メモリ
２１  競輪処理部
２２  競輪処理部用データベース
２３  オートレース処理部
２４  オートレース処理部用データベース
３１  主制御部
３２  通信制御部
３３  投票カードデータ処理部
３４  メモリ
３５  Ｉ／Ｆ制御部（インタフェース制御部）
３６  機構部（メカ部）
３７  投票カード読取機構制御部
３８  投票券発行機機構制御部
３９  その他の機構制御部
４０  表示装置
５１  コンピュータ本体
５２  表示装置
５３  入力装置（キーボード／マウス等）
５４  リムーバブルディスクドライブ（ＲＤＤ）
５５  ハードディスク装置（ＨＤＤ）
５６  ＣＰＵ（中央演算処理装置）
５７  ＲＯＭ（リードオンリメモリ）
５８  メモリ
５９  Ｉ／Ｆ制御部（インタフェース制御部）
６０  通信制御部
【図１】
2006099520.tif 000003
【図２】
2006099520.tif 000004
【図３】
2006099520.tif 000005
【図４】
2006099520.tif 000006
【図５】
2006099520.tif 000007
【図６】
2006099520.tif 000008
【図７】
2006099520.tif 000009
【図８】
2006099520.tif 000010
【図９】
2006099520.tif 000011
【図１０】
2006099520.tif 000012
【図１１】
2006099520.tif 000013
【図１２】
2006099520.tif 000014
【図１３】
2006099520.tif 000015
【図１４】
2006099520.tif 000016
【図１５】
2006099520.tif 000017
【図１６】
2006099520.tif 000018
【図１７】
2006099520.tif 000019
【図１８】
2006099520.tif 000020
【図１９】
2006099520.tif 000021
【図２０】
2006099520.tif 000022
【図２１】
2006099520.tif 000023
【図２２】
2006099520.tif 000024